(57)【要約】      （修正有）【課題】屑収容箱内の現在の屑の量及び屑収容箱の有無が外側からでもわかるようにし、シュレッダー上面をテーブル代わりに使えるようにした新規なお知らせランプ付シュレッダーを提供する。【解決手段】筐体１００と、紙投入口１１４と、廃棄用紙などを細断する細断刃を備えた細断部と、前記筐体の内部に設けられ、細断された細断屑を収容する屑収容箱と、前記屑収容箱を外部に取出すため筐体側面に設けられた開閉自在の扉１２ｄと、前記屑収容箱の上方に回転自在に取付けられた屑ならし手段と、前記屑収容箱内の屑量を検知する屑量センサーと、前記筐体内部の前記屑収容箱の有無を検知する屑収容箱センサーと、前記扉に設けられた複数のＬＥＤランプ１０４ａ，１０４ｂ，１０４ｃと、前記紙投入口を閉塞するため、前記筐体の上面の基端側から他端側へとスライドして開閉自在に設けられ、硬質材料からなるシャッター手段１０６と、前記シャッター手段に連動して設けられた電源手段１１０と、により構成する。【選択図】図１
0003154352.tif 000002
【実用新案登録請求の範囲】
【請求項１】
筐体と、前記筐体の上面に設けられた紙投入口と、前記筐体の内部かつ前記紙投入口の下方に設けられ、廃棄用紙などを細断する細断刃を備えた細断部と、前記筐体の内部に設けられ、細断された細断屑を収容する屑収容箱と、前記屑収容箱を外部に取出すため筐体側面に設けられた開閉自在の扉と、前記屑収容箱の上方に回転自在に取付けられた屑ならし手段と、前記屑収容箱内の屑量を検知する屑量センサーと、前記筐体内部の前記屑収容箱の有無を検知する屑収容箱センサーと、前記扉に設けられた複数のＬＥＤランプと、前記紙投入口を閉塞するため、前記筐体の上面の基端側から他端側へとスライドして開閉自在に設けられ、硬質材料からなるシャッター手段と、前記シャッター手段に連動して設けられた電源手段と、を有し、前記屑収容箱内の屑量に応じて前記複数のＬＥＤランプを点灯又は点滅せしめ、前記筐体内部の前記屑収容箱の有無に応じて前記ＬＥＤランプを点灯又は点滅せしめ、前記シャッター手段を閉めるとシュレッダーの電源がＯＦＦとなり、前記シャッター手段を開けるとシュレッダーの電源がＯＮとされてなることを特徴とするお知らせランプ付シュレッダー。
【請求項２】
前記扉に設けられた複数のＬＥＤランプが、すくなくとも下位、中位、上位の３つのＬＥＤランプを含み、前記屑ならし手段が前記細断刃と連動して回転して前記屑収容箱内の細断屑の屑ならしが行われ、前記屑収容箱内の屑量が少ないときは下位、前記屑収容箱内の屑量が中程度のときは中位、前記屑収容箱内の屑量が満杯のときは上位のＬＥＤランプを点灯又は点滅せしめ、前記屑収容箱内の屑量が満杯となった後も前記屑ならし手段で屑ならしが所定時間内行われ、かつ前記屑ならし中に前記下位、中位、上位のＬＥＤランプを流れるように間隔を開けて点灯させ、前記屑ならしが終了したら、前記ＬＥＤランプの色を変えて点灯させることにより、屑を捨てる合図とし、前記筐体内部の前記屑収容箱の有無に応じて前記ＬＥＤランプを点灯又は点滅せしめてなることを特徴とする請求項１記載のお知らせランプ付シュレッダー。
【考案の詳細な説明】
【技術分野】
【０００１】
本考案は、屑収容箱内の現在の屑の量及び屑収容箱の有無が外側からでもわかるようにし、シュレッダー上面をテーブル代わりに使えるようにした新規なお知らせランプ付シュレッダーに関する。
【背景技術】
【０００２】
従来、シュレッダーとしては、廃棄用紙などの紙を細断するシュレッダーが広く知られている。
【０００３】
本願出願人らは、廃棄用紙などを細断する細断刃を備えた細断部と、該細断部によって細断された細断屑を収容する屑収容箱と、該屑収容箱を外部に取出すための開閉自在の扉と、該屑収容箱の上方に上下動自在かつ回転自在に取りつけられた屑ならし手段と、該屑ならし手段を上方の待機位置及び下方の屑ならし位置にそれぞれ移動停止せしめる移動停止手段とを有し、該移動停止手段が上記扉の開閉に連動し、該扉を開放すると該屑ならし手段が上方の待機位置に移動停止して上記屑収容箱が取り出し可能となり、該扉を閉めると該屑ならし手段が下方の屑ならし位置に移動停止して該屑収容箱内の細断屑のならし作業が可能となるようにしたことを特徴とするシュレッダーの細断屑ならし装置を提案しており、好評を得ている（特許文献１）。
【０００４】
さらに、本願出願人らは、廃棄用紙などを細断する細断刃を備えた細断部と、該細断部によって細断された細断屑を収容する屑収容箱と、該屑収容箱を外部に取出すための開閉自在の扉と、該屑収容箱の上方に上下動自在かつ回転自在に取りつけられた屑ならし手段と、該屑ならし手段を上方の待機位置及び下方の屑ならし位置にそれぞれ移動停止せしめる移動停止手段と、該屑収容箱が細断屑によって満杯になったか否かを検知するため該屑収容箱の上方に設けられた屑センサーと、該屑センサーを常時クリーニングする屑センサー用クリーニング手段とを有することを特徴とするシュレッダーも提案し、好評を得ている（特許文献２）。
【０００５】
しかしながら、これらのシュレッダーでは、屑センサーによって、屑収容箱が細断屑によって満杯になったか否かを検知することはできても、屑収容箱内の現在の屑の量を知るためには、扉を開けて確認する必要があった。
【０００６】
また、屑収容箱がセットされていないのにもかかわらず、細断を行ってしまうとシュレッダー内に細断屑がちらかってしまうという問題があった。
【０００７】
さらに、シュレッダーを置くと部屋の一定の場所を占領するが、一日中シュレッダーで細断をしているわけではないので、シュレッダーで細断しないときは、上面に物などが置けると、テーブル代わりに使えて便利である。
【先行技術文献】
【特許文献】
【０００８】
【特許文献１】特許３２７３８８１号公報
【特許文献２】特許３４５０９８１号公報
【考案の概要】
【考案が解決しようとする課題】
【０００９】
本考案は、上記した従来技術の問題点に鑑みなされたもので、屑収容箱内の現在の屑の量及び屑収容箱の有無が外側からでもわかるようにし、シュレッダー上面をテーブル代わりに使えるようにした新規なお知らせランプ付シュレッダーを提供することを目的とする。
【課題を解決するための手段】
【００１０】
上記課題を解決するために、本考案に係るお知らせランプ付シュレッダーは、筐体と、前記筐体の上面に設けられた紙投入口と、前記筐体の内部かつ前記紙投入口の下方に設けられ、廃棄用紙などを細断する細断刃を備えた細断部と、前記筐体の内部に設けられ、細断された細断屑を収容する屑収容箱と、前記屑収容箱を外部に取出すため筐体側面に設けられた開閉自在の扉と、前記屑収容箱の上方に回転自在に取付けられた屑ならし手段と、前記屑収容箱内の屑量を検知する屑量センサーと、前記筐体内部の前記屑収容箱の有無を検知する屑収容箱センサーと、前記扉に設けられた複数のＬＥＤランプと、前記紙投入口を閉塞するため、前記筐体の上面の基端側から他端側へとスライドして開閉自在に設けられ、硬質材料からなるシャッター手段と、前記シャッター手段に連動して設けられた電源手段と、を有し、前記屑収容箱内の屑量に応じて前記複数のＬＥＤランプを点灯又は点滅せしめ、前記筐体内部の前記屑収容箱の有無に応じて前記ＬＥＤランプを点灯又は点滅せしめ、前記シャッター手段を閉めるとシュレッダーの電源がＯＦＦとなり、前記シャッター手段を開けるとシュレッダーの電源がＯＮとされてなることを特徴とする。
【００１１】
前記屑収容箱内の屑量を検知する屑量センサーと前記筐体内部の前記屑収容箱の有無を検知する屑収容箱センサーとは一つのセンサーで兼用してもよいし、それぞれ別のセンサーとしてもよい。
【００１２】
このようにすれば、前記扉に設けられた複数のＬＥＤランプが、前記屑収容箱内の屑量に応じて点灯又は点滅するので、扉を開けて確認することなく、屑量が外側から一目でわかる利点がある。
【００１３】
また、前記扉に設けられた複数のＬＥＤランプが、前記筐体内部の前記屑収容箱の有無に応じて点灯又は点滅するので、扉を開けて確認することなく、屑収容箱の有無が外側から一目でわかる利点がある。
【００１４】
廃棄用紙などを細断しないときは、前記シャッター手段を閉めておけば、前記筐体の上面に物を置くことができ、テーブル代わりとなる。シャッター手段を構成する硬質材料としては、鋼、ステンレス鋼、アルミニウム合金などの金属材料が好適である。
【００１５】
また、シュレッダーを使用しないときは、前記シャッター手段を閉めてシュレッダーの電源をＯＦＦにしてテーブル代わりに使用でき、シュレッダーを使用するときだけ、前記シャッター手段を開けるとシュレッダーの電源がＯＮとなるので、エネルギーの節約にもつながり、地球環境にも優しいという利点がある。
【００１６】
また、前記扉に設けられた複数のＬＥＤランプが、すくなくとも下位、中位、上位の３つのＬＥＤランプを含み、前記屑ならし手段が前記細断刃と連動して回転して前記屑収容箱内の細断屑の屑ならしが行われ、前記屑収容箱内の屑量が少ないときは下位、前記屑収容箱内の屑量が中程度のときは中位、前記屑収容箱内の屑量が満杯のときは上位のＬＥＤランプを点灯又は点滅せしめ、前記屑収容箱内の屑量が満杯となった後も前記屑ならし手段で屑ならしが所定時間内行われ、かつ前記屑ならし中に前記下位、中位、上位のＬＥＤランプを流れるように間隔を開けて点灯させ、前記屑ならしが終了したら、前記ＬＥＤランプの色を変えて点灯させることにより、屑を捨てる合図とし、前記筐体内部の前記屑収容箱の有無に応じて前記ＬＥＤランプを点灯又は点滅せしめてなるのが好適である。
【００１７】
このようにすれば、前記屑収容箱内の屑量が少ないときは下位、前記屑収容箱内の屑量が中程度のときは中位、前記屑収容箱内の屑量が満杯のときは上位のＬＥＤランプが点灯又は点滅するので、扉を開けて確認することなく、屑量が外側から一目でわかる利点がある。例えば、前記屑収容箱内の屑量が少ないときは下位、前記屑収容箱内の屑量が中程度のときは中位、前記屑収容箱内の屑量が満杯のときは上位のＬＥＤランプを緑色に点灯させるなどすればよい。
【考案の効果】
【００１８】
本考案に係るお知らせランプ付シュレッダーによれば、屑収容箱内の現在の屑の量が外側からでもわかり、且つ屑収容箱の有無が外側からでもわかり、さらにシュレッダー上面をテーブル代わりに使えるという著大な効果を有する。
【図面の簡単な説明】
【００１９】
【図１】本考案のお知らせランプ付シュレッダーの一つの実施の形態を示す斜視図である。
【図２】図１の実施の形態の平面図である。
【図３】図１の実施の形態の縦断面図である。
【考案を実施するための形態】
【００２０】
以下に本考案の一つの実施の形態を実施例に基づき添付図面を参照して説明する。本考案の技術思想から逸脱しない限りこれらの実施の形態について種々の変更又は変形が可能なことは言うまでもない。
【００２１】
図１〜図３において、符号１０は本考案のお知らせランプ付シュレッダーを示す。前記シュレッダー１０は、廃棄用紙Ｐなどを細断するためのシュレッダーである。
【００２２】
前記シュレッダー１０は底板１２ａ、側板１２ｂ及び上部蓋板１２ｃからなる筐体１００を有し、前部には扉１２ｄが開閉自在に設けられる。該シュレッダー１０の内部中央周辺部にベース板１４が取り付けられている。該シュレッダー１０の内部は、該ベース板１４の上方に位置する上部空間１３と該ベース板１４の下方に位置する下部空間１５とに分かれる。該上部空間１３には、一対の縦切りカッター１６、１６及び該縦切りカッターの下方に設けられた横切カッター１８からなる細断部２０が設けられている。
【００２３】
符号２２は、該細断部２０を駆動するためのモーターである。該モーター２２は基板２４上に設けられている。２６は該モーター２２を被覆する防塵カバーである。２８はシュレッダー１０の駆動を制御する制御機構が収納されている制御ボックスであり、同様に防塵カバー３０によって被覆されている。
【００２４】
該シュレッダー１０の下部空間１５には屑収容箱３２が上記底板１２ａ上に外部への取り出し可能に配置されている。３３は、前記ベース板１４の下面の全周にわたるように取りつけられ、該屑収容箱から細断屑Ｄが飛散脱落しないように作用する飛散防止枠である。
【００２５】
図３において、符号３４は、シュレッダー１０の内部空間に上下動自在に設けられた可動ベース板である。該可動ベース板３４の上下動構造としては、公知の機構を適用すればよい。
【００２６】
図３に示した例では、側板１２ｂに取りつけられた基板３６にガイドレールを固着し、一方該可動ベース板３４には取付けベース４０を介してスライドレールが取りつけられている。
【００２７】
該スライドレールを該ガイドレールに摺動自在に挿通することによって、該スライドレールが上下方向に摺動可能とされ、したがって、該スライドレールに取りつけられた可動ベース板３４は上下動自在に該側板１２ｂに取りつけられていることとなる。
【００２８】
４４は、上端を該ベース板１４に固着した軸である。該軸４４の下部は自由端とされ、該取付けベース４０に穿設された挿通孔に遊挿されている。該軸４４の周囲にはスプリング４８が巻回されている。該スプリング４８は下方に圧縮されると、上方に付勢するように構成されている。
【００２９】
該スプリング４８を下方に押圧する構成は、該可動ベース板３４の側方に延出部を設け、該軸４４を挿通する貫通孔を穿設し、該貫通孔に該軸４４を挿通し、該スプリング４８の上端は該可動ベース板３４の下面に当接し、該可動ベース板３４が下方に移動すると、該スプリング４８が下方に押圧され、圧縮されるようにすればよい。
【００３０】
図３において、符号５０は、１枚又は複数枚の羽根を備えたファン機構で、細断屑をならす作用をする屑ならし手段である。５２は、該ファン機構５０を回転駆動するモーターで、前記可動ベース板３４に取り付けられた支持板５４上に載置されている。
【００３１】
５６は、細断屑Ｄの量を感知する屑量センサーである。５８は、ファンセンサーで、ファン機構５０が存在しているか否かの検知及び回転すべきときにファン機構５０が回転しているか否かを検知する。そして、ファン機構５０は、細断部２０を駆動するモーター２２に接続されており、細断部２０と連動して回転する。ファン機構５０は、細断部２０での細断が始まると回転して屑ならしを始め、細断部２０での細断が終わると、その約１０秒後に停止する構成とされている。
【００３２】
上記ファン機構５０に取りつけられる羽根の枚数は、１枚以上複数枚を設ければよく、特別の限定はないが、４枚が好ましい。該羽根の形状も細断屑Ｄをならす作用があればよく、下方傾斜した形状の羽根を用いるとならし作用の効率が向上する。又、該羽根にガード部材（不図示）を取りつけて危険防止を図ることもできる。
【００３３】
６０は、前記扉１２ｄの内面に取りつけられた押下げ手段となる押下げブロックで、上面側を長尺平坦面として、下面側に斜面を介して短尺平坦面を設けた側面略台形楔状に形成されている。該押下げブロック６０は、その先端突部が前記ベース板１４の下面と該可動ベース板３４の上面との間の間隙に侵入できる位置に取りつけられている。
【００３４】
該扉１２ｄを閉めると該押下げブロック６０が該ベース板１４と可動ベース板３４との間に侵入し、該可動ベース板３４を下方に押下げるように作用する。６２はベアリングで、該可動ベース板３４の該扉１２ｄと面する側面にベアリングブロック６４を介して取りつけられている。該ベアリング６２は該押下げブロック６０による該可動ベース板３４の押下げが円滑に行なわれるように作用する。
【００３５】
該押下げブロック６０が該可動ベース板３４方向へ進出すると、該ベアリング６２は斜面に沿って回転降下し、下面側の短尺平坦面に達する。ベアリング６２が短尺平坦面に位置する状態で、該可動ベース板３４は最下位位置に達しており、該屑ならし手段５０は屑ならし位置に位置することとなる。該押下げブロック６０が後退している状態では、該可動ベース板３４は該ベース板１４の下面と当接して最上位の位置にあり、該屑ならし手段５０は上方の待機位置に位置することとなる。
【００３６】
なお、弾性を有するクッション部材が該ベース板１４の下面にとりつけられ、該可動ベース板３４がスプリング４８の力によって上方に移動する際に、該ベース板１４へ該可動ベース板３４が接触する際の衝撃を緩和する作用を果す。これら屑ならし手段を設けたシュレッダーの基本的な構成については、特許文献１に記載されており、かかる構成が採用できる。
【００３７】
屑量センサー５６の機構としては、反射式の光学式センサーなどが使用できる。例えば、屑量センサー５６の投光部が出す光を堆積細断屑で反射させ、その反射光を屑量センサー５６の受光部でとらえ、その光で電圧に出力してその距離を求めることで、細断屑の堆積量がわかる。
【００３８】
さらに、屑量センサー５６は、前記筐体１００内部の前記屑収容箱３２の有無を検知する屑収容箱センサー１０２でもある。屑収容箱センサー１０２も、公知の反射式の光学式センサーであり、投光部が出す光を反射させて受光部でとらえ屑収容箱の有無を検知する。図示の例では、屑量センサー５６と屑収容箱センサー１０２とは、同一のセンサーで兼用した例を示した。屑量センサー５６と屑収容箱センサー１０２とをそれぞれ別のセンサーとしてもよい。
【００３９】
前記扉１２ｄには、取っ手１１６と３箇所のＬＥＤランプ１０４ａ，１０４ｂ，１０４ｃ、が設けられており、それぞれ下位ＬＥＤランプ１０４ｃ、中位ＬＥＤランプ１０４ｂ、上位ＬＥＤランプ１０４ａとされている。複数のＬＥＤランプ１０４ａ，１０４ｂ，１０４ｃは、前記屑量センサー５６（屑収容箱センサー１０２と兼用）と制御ボックス２８に接続されており、実施例では緑色又は赤色に点灯するように構成されている。図示例では、３箇所のＬＥＤランプ１０４ａ，１０４ｂ，１０４ｃを設けた例を示したが、さらに多くのＬＥＤランプを設ける構成としてもよいことはもちろんである。
【００４０】
前記紙投入口１１４を閉塞するため、図２に示すように、前記筐体１００の上面の基端側から他端側（扉１２ｄがある側が基端側）へとスライドして開閉自在に設けられ、硬質材料（図示例ではステンレス鋼）からなるシャッター手段１０６が設けられている。
【００４１】
このシャッター手段１０６は、筐体１００の上面のスイッチパネル１０８に設けられた電源手段１１０及び制御ボックス２８と連動されている。これにより、シャッター手段１０６が紙投入口１１４を閉塞している図２の状態では、電源はＯＦＦとなっており、筐体１００の上面に物などを置いてテーブル代わりとして使える。そして、廃棄用紙Ｐなどを細断するときは、前記筐体１００の上面の基端側から他端側（扉１２ｄがある側が基端側）へとスライドせしめ、紙投入口１１４を出現させる。すると、電源がＯＮとなり、紙投入口１１４に廃棄用紙Ｐなど投入すれば細断が始まる。
【００４２】
シャッター手段１０６を電源手段１１０と連動させるには、公知の種々の手段を用いることができる。例えば、図示例のように、シャッターセンサー１１２を設けておき、シャッター手段１０６をスライドさせてシャッターセンサー１１２が検知したら電源がＯＮとなるような仕組みとすればよい。
【００４３】
上記構成により、その作用を説明する。シュレッダー１０の細断部２０によって細断された廃棄用紙等の細断屑Ｄは、該細断部の下方に設置された屑収容箱３２内に落下し堆積する。
【００４４】
上記屑ならし手段、すなわちファン機構５０の使用態様は、一様ではなく種々の用い方が可能である。例えば廃棄用紙等の細断開始と同時にファン機構５０も回転させ、細断終了と同時にファン機構５０も停止させる。
【００４５】
この場合、細断部２０で細断された細断層は、ファン機構５０の羽根の間から下方に落下して屑収容箱内に収容される。この落下状態は、羽根の回転に伴い、屑収容箱内に均一に落下せしめられる。
【００４６】
更に、細断屑が大量となり該ファン機構５０の位置まで達すると、羽根の回転により細断屑Ｄは均一にならされることとなる。なお、前記屑センサー５６が細断屑Ｄを感知した時点で、屑収容箱３２は取り出される。細断作業停止後、該ファン機構５０を短時間回転させ、最後の屑ならし動作を行なわせるのが好ましい。
【００４７】
該扉１２ｄを閉じると該可動ベース板３４が該押下げブロック６０の作用によって下方に移動し、該可動ベース板３４に接続されたファン機構５０、すなわち屑ならし手段は、屑収容箱３２内の屑ならし位置に下降して停止する。
【００４８】
この状態で細断作業が行なわれ、上述したごとく、細断屑がファン機構５０に達すると屑ならし作業も行なわれる。
【００４９】
前記屑量センサー５６が、屑収容箱３２中の検知した屑量が少ないと下位ＬＥＤランプ１０４ｃが点灯し、屑収容箱３２中の検知した屑量が中位のときは中位ＬＥＤランプ１０４ｂも点灯（例えば緑色）し、屑収容箱３２中の検知した屑量が満杯のときはさらに上位ＬＥＤランプ１０４ａも点灯（例えば緑色）する。
【００５０】
屑量が満杯になって上位ＬＥＤランプ１０４ａ，１０４ｂ，１０４ｃが点灯しても、屑ならしのファン機構５０は１０秒間回転し、屑の山を平らにする。この屑の山を平らにならしている間、複数のＬＥＤランプ１０４ａ，１０４ｂ，１０４ｃは、上位ＬＥＤランプ１０４ａ→中位ＬＥＤランプ１０４ｂ→下位ＬＥＤランプ１０４ｃと順番に流れるように間隔をあけて緑色に点灯する。
【００５１】
ファン機構５０が１０秒後に停止したら、緑色に点灯していた複数のＬＥＤランプ１０４ａ，１０４ｂ，１０４ｃは、赤色に点灯する。これが屑を捨てる合図となり、使用者は屑収容箱３２に堆積した細断屑Ｄを捨てる。
【００５２】
該扉１２ｄを開けると、該押下げブロック６０が該扉１２ｄとともに後退し、それと同時に該スプリング４８の作用によって該可動ベース板３４は該屑収容箱３２の上方の待機位置に復帰する。したがって、該屑収容箱３２は、取り出し可能となる。
【００５３】
該屑収容箱３２内の細断屑Ｄを廃棄した後、再び該屑収容箱３２を該底板１２ａ上に載置し、扉１２ｄを閉めると、前述したごとく、該ファン機構５０は、該屑収容箱３２内の屑ならし位置に下降して停止する。
【００５４】
この状態で再び細断作業が可能となる。前記ファンセンサー５８は、ファン機構５０が脱落して存在しない場合及び細断屑Ｄが羽根に巻きついて羽根の回転が強制的に停止した場合などの事故発生を検知し、細断作業及び屑ならし作業を停止せしめるように作動する。
【００５５】
上記実施例では、扉の開閉に応じて該ファン機構５０を上下動させる構成について説明したが、該ファン機構５０の上下動を行なう手段を扉１２ｄの開閉と連動させず、別に設けることも可能である。
【００５６】
なお、ファン機構５０の回転速度については、特別の説明を加えなかったが、通常のファンのように送風するものではないので、ゆっくりした速度で回転させれば充分に本発明の効果は達成される。
【００５７】
細断にあたって、屑収容箱３２が筐体１００にセットされていない場合、複数のＬＥＤランプ１０４ａ，１０４ｂ，１０４ｃは、１箇所又は全ては赤色に点灯する。屑収容箱３２がセットされている場合には、複数のＬＥＤランプ１０４ａ，１０４ｂ，１０４ｃは点灯しない。これにより、使用者は屑収容箱３２がセットされているかどうか知ることができる。
【００５８】
シュレッダー１０を使用しないときは、シャッター手段１０６をスライドさせて紙投入口１１４を閉塞しておき、筐体１００の上面に物などを置いてテーブル代わりとして使う。シュレッダー１０を使用するときは、シャッター手段１０６を基端側から他端側にスライドさせて紙投入口１１４を出現させ、電源をＯＮとし、紙投入口１１４に廃棄用紙Ｐなど投入すれば細断が始まる。
【００５９】
このようして、屑収容箱３２内の現在の屑の量が筐体１００の外側からでもわかり、且つ屑収容箱３２の有無が筐体１００の外側からでもわかり、さらにシュレッダー１０の上面をテーブル代わりに使える。
【符号の説明】
【００６０】
１０：お知らせランプ付シュレッダー、１２ａ：底板、１２ｂ：側板、１２ｃ：上部蓋板、１２ｄ：扉、１３：上部空間、１４：ベース板、１５：下部空間、１６：縦切りカッター、１８：横切カッター、２０：細断部、２２：モーター、２４：基板、２６，３０：防塵カバー、２８：制御ボックス、３２：屑収容箱、３３：飛散防止枠、３４：可動ベース板、３６：基板、４０：取付けベース、４４：軸、４８：スプリング、５０：ファン機構、５２：モーター、５４：支持板、５６：屑センサー、５８：ファンセンサー、６０：押下げブロック、６２：ベアリング、６４：ベアリングブロック、１００：筐体、１０２：屑収容箱センサー、１０４ａ，１０４ｂ，１０４ｃ：ＬＥＤランプ、１０６：シャッター手段、１０８：スイッチパネル、１１０：電源手段、１１２：シャッターセンサー、１１４：紙投入口、１１６：取っ手、Ｄ：細断屑、Ｐ：廃棄用紙。
【図１】
0003154352.tif 000003
【図２】
0003154352.tif 000004
【図３】
0003154352.tif 000005